(57)【要約】【課題】清掃機能が異なる清掃材が保持された保持体と容易に取り替えることができ、独立した複数の清掃具を用いる場合に比べて清掃作業能率を向上することができる清掃具を提供する点にある。【解決手段】清掃材１を保持した保持体２が挿入される保持溝３１を有し、前記保持体２を柄５に支持する支持体３と、前記保持体２を支持体３に係止する係止孔３２及び凸部２４とを備え、係止孔３２及び凸部２４による係止を解除することにより保持体２を、清掃機能が異なる清掃材１を保持した保持体と取り替えることができるようにした。【選択図】　　　　図２
2004033282.tif 000002
【特許請求の範囲】
【請求項１】
柄に支持され、清掃材を保持する保持体を有する清掃具において、前記保持体が挿入される保持溝を有し、前記保持体を柄に支持する支持体と、前記保持体を支持体に係止する係止手段とを備えていることを特徴とする清掃具。
【請求項２】
前記係止手段は前記保持溝及び保持体の一方が有する凸部と、保持溝及び保持体の他方が有し、前記凸部と係合して保持体の保持溝内での動きを規制する凹部とからなる請求項１記載の清掃具。
【請求項３】
前記保持溝及び保持体は保持溝の一端部から保持体を挿入可能としてあり、前記凹部は保持溝の一端部で保持溝の側面を貫通する係止孔であり、前記凸部は前記保持体に突設されている請求項２記載の清掃具。
【請求項４】
前記保持溝の側面及び保持体の一方はその長手方向が保持溝の長手方向となる凹条を有し、保持溝の側面及び保持体の他方は前記凹条との係合が可能な凸条を有する請求項１乃至３の何れかに記載の清掃具。
【請求項５】
前記係止孔は前記保持溝の両側面に有しており、前記凸部は各係止孔に係合する二つである請求項３又は４記載の清掃具。
【請求項６】
前記保持体はヒンジを介して連結された二枚の挟み板と、各挟み板の内側に突設され、清掃材に食い込む複数の食込片とを有する請求項１記載の清掃具。
【請求項７】
柄に支持され、清掃材を保持する保持体を有する清掃具において、前記保持体がその長手方向一端部から挿入される保持溝及び該保持溝と離間した位置に嵌合保持されたスクレーパを有し、前記保持体を柄に支持する支持体と、保持溝及び保持体の一方が有する凸部と、保持溝及び保持体の他方が有し、前記凸部に係合して保持体の保持溝内での動きを規制する凹部とを有することを特徴とする清掃具。
【請求項８】
柄に支持され、清掃材を保持する保持体を有する清掃具において、前記保持体はブラシからなる清掃材を保持した第１の保持体及びスポンジからなる清掃材を保持した第２の保持体であり、第１又は第２の保持体がその長手方向一端部から挿入される保持溝及び該保持溝と離間した位置に嵌合保持されたスクレーパを有し、第１又は第２の保持体を柄に支持する支持体と、保持溝及び保持体の一方が有する凸部と、保持溝及び保持体の他方が有し、前記凸部に係合して保持体の保持溝内での動きを規制する凹部とを有することを特徴とする清掃具。
【発明の詳細な説明】
【０００１】
【発明の属する技術分野】
本発明は建築物のガラス等を清掃するのに便利な清掃具に関する。
【０００２】
【従来の技術】
建築物のガラスを清掃する場合、ガラスを水で濡らし、ガラスに付着している埃等を落すためのブラシを有する清掃具と、ガラスに付着した水滴を吸収するためのスポンジを有する清掃具と、前記スポンジによって吸収されない水分を掻き取るスクレーパを有する清掃具とが使用されている。このような清掃具は、ブラシ，スポンジ，スクレーパ等の清掃材を個別に保持する保持体と、該保持体に結合された柄とからなり、柄を把持して清掃作業が行われる。
【０００３】
【発明が解決しようとする課題】
ところが、以上のように構成された従来の清掃具は、各清掃材と保持体と柄とが一体になっており、異なる清掃機能を有するものが独立しているため、ガラスを清掃する際に機能が異なる複数の独立した清掃具を用いる必要があり、独立した清掃具の個数が多く、清掃具が嵩張るし、また、窓間を移動しつつガラスの清掃を行うような場合の清掃作業能率が悪く、改善策が要望されていた。
【０００４】
本発明は斯かる事情に鑑みてなされたものであり、清掃材を保持する保持体が挿入される保持溝を有し、保持体を柄に支持する支持体と、保持体を支持体に係止する係止手段とを備えることにより、柄及び支持体を取り替えることなく、清掃材が保持された保持体を取り替えることによって清掃機能が異なる清掃材で清掃することができる清掃具を提供することを目的とする。
【０００５】
また、保持溝及び保持体の一方が有する凸部と、保持溝及び保持体の他方が有し、前記凸部と係合して保持体の保持溝内での動きを規制する凹部とからなる係止手段とすることにより、この係止手段を保持体、支持体と一体に成形することができる清掃具を提供することを目的とする。
【０００６】
また、保持溝の一端部から保持体を挿入することが可能な保持溝及び保持体とし、前記凹部は保持溝の一端部で保持溝の側面を貫通する係止孔であり、前記凸部は前記保持体に突設されている構成とすることにより、保持体を保持溝の一端部から摺動させつつ容易に挿入することができる清掃具を提供することを目的とする。
【０００７】
さらに、保持溝の側面及び保持体の一方はその長手方向が保持溝の長手方向となる凹条を有し、保持溝の側面及び保持体の他方は前記凹条との係合が可能な凸条を有する構成とすることにより、保持体を保持溝に挿入する際に凸条を凹条に係合させることによって保持体を正確に挿入することができる清掃具を提供することを目的とする。
【０００８】
また、係止孔を保持溝の両側面に設け、凸部を各係止孔に係合する二つとすることにより、凸部を二つの指の摘む部とすることができる清掃具を提供することを目的とする。
【０００９】
また、ヒンジを介して連結された二枚の挟み板と、各挟み板の内側に突設され、清掃材に食い込む複数の食込片とを有する保持体とすることにより、複数の清掃面を有する清掃材の清掃面が汚れた際に、挟み板間の間隔を広げて清掃材の挟み位置を変えることにより他の清掃面を使用することができる清掃具を提供することを目的とする。
【００１０】
また、清掃材を保持する保持体が挿入される保持溝及び該保持溝と離間した位置に嵌合保持されたスクレーパを有し、保持体を柄に支持する支持体と、保持体の保持溝内での動きを規制する凸部及び凹部とを備えることにより、柄及び該柄に支持され、スクレーパを有する支持体を取り替えることなく、清掃材を保持した保持体を取り替えることによって清掃機能が異なる清掃材で清掃することができる清掃具を提供することを目的とする。
【００１１】
また、清掃材を保持する保持体が、ブラシからなる清掃材を保持した第１の保持体及びスポンジからなる清掃材を保持した第２の保持体であり、第１又は第２の保持体がその長手方向一端部から挿入される保持溝及び該保持溝と離間した位置に嵌合保持されたスクレーパを有し、第１又は第２の保持体を柄に支持する支持体と、保持体の保持溝内での動きを規制する凸部及び凹部とを備えることにより、柄及び該柄に支持され、スクレーパを有する支持体を取り替えることなく、第１又は第２の保持体を取り替えることによってブラシ、スポンジで清掃することができる清掃具を提供することを目的とする。
【００１２】
【課題を解決するための手段】
本発明の第１発明に係る清掃具は、柄に支持され、清掃材を保持する保持体を有する清掃具において、前記保持体が挿入される保持溝を有し、前記保持体を柄に支持する支持体と、前記保持体を支持体に係止する係止手段とを備えていることを特徴とする。
【００１３】
第７発明に係る清掃具は、柄に支持され、清掃材を保持する保持体を有する清掃具において、前記保持体がその長手方向一端部から挿入される保持溝及び該保持溝と離間した位置に嵌合保持されたスクレーパを有し、前記保持体を柄に支持する支持体と、保持溝及び保持体の一方が有する凸部と、保持溝及び保持体の他方が有し、前記凸部に係合して保持体の保持溝内での動きを規制する凹部とを有することを特徴とする。
【００１４】
第１発明及び第７発明にあっては、保持体を保持溝に挿入することにより保持体を係止することができるため、清掃材を脱落させることなく清掃作業を行うことができ、また、保持体を挿入方向と反対方向へ引張ることにより、保持体を保持溝から抜き出すことができ、清掃機能が異なる清掃材が保持された保持体と容易に取り替えることができる。従って、建築物のガラスを水で濡らし、ガラスに付着している埃等をブラシで落し、ガラスに付着した水滴をスポンジで吸収するような場合、一つの清掃具と、清掃材を保持した保持体とによってガラスを清掃することができ、清掃具の取替え回数を少なくすることができ、独立した複数の清掃具を用いる場合に比べて清掃作業能率を向上できる。また、第７発明にあっては、スポンジによって吸収されない水分をスクレーパによって掻き取るような場合、柄を中心として支持体を回すことにより、スクレーパによって清掃することができ、清掃作業能率をより一層向上できる。
【００１５】
第２発明に係る清掃具は、前記係止手段は前記保持溝及び保持体の一方が有する凸部と、保持溝及び保持体の他方が有し、前記凸部と係合して保持体の保持溝内での動きを規制する凹部とからなることを特徴とする。
【００１６】
第２発明にあっては、保持体、支持体が成形される際に、凸部及び凹部を保持体、支持体と一体に成形することができるため、係止手段の組付け工数をなくすることができる。
【００１７】
第３発明に係る清掃具は、前記保持溝及び保持体は保持溝の一端部から保持体を挿入可能としてあり、前記凹部は保持溝の一端部で保持溝の側面を貫通する係止孔であり、前記凸部は前記保持体に突設されていることを特徴とする。
【００１８】
第３発明にあっては、保持体を保持溝の一端部から摺動させつつ容易に挿入することができ、また、保持体を保持溝の一端部から摺動させつつ容易に抜き出すことができ、清掃材の取り替えを簡易にできる。
【００１９】
第４発明に係る清掃具は、前記保持溝の側面及び保持体の一方はその長手方向が保持溝の長手方向となる凹条を有し、保持溝の側面及び保持体の他方は前記凹条との係合が可能な凸条を有することを特徴とする。
【００２０】
第４発明にあっては、保持体を保持溝に挿入する際に凸条を凹条に係合させることによって保持体を正確に挿入することができ、しかも、挿入した後では凸条及び凹条によって保持体の挿入方向と交差する方向への動きを規制することができ、保持体の係止力を増加できる。
【００２１】
第５発明に係る清掃具は、前記係止孔は前記保持溝の両側面に有しており、前記凸部は各係止孔に係合する二つであることを特徴とする。
【００２２】
第５発明にあっては、凸部を二つの指で摘むことができるため、凸部を二つの指で摘んだ状態で保持体を保持溝に対して挿入／抜き出しが行える。
【００２３】
第６発明に係る清掃具は、前記保持体はヒンジを介して連結された二枚の挟み板と、各挟み板の内側に突設され、清掃材に食い込む複数の食込片とを有することを特徴とする。
【００２４】
第６発明にあっては、複数の清掃面を有する清掃材の清掃面が汚れた際に、挟み板間の間隔を広げて清掃材の挟み位置を変えることにより他の清掃面を使用することができ、清掃材の洗浄回数を減らすことができる。
【００２５】
第８発明に係る清掃具は、柄に支持され、清掃材を保持する保持体を有する清掃具において、前記保持体はブラシからなる清掃材を保持した第１の保持体及びスポンジからなる清掃材を保持した第２の保持体であり、第１又は第２の保持体がその長手方向一端部から挿入される保持溝及び該保持溝と離間した位置に嵌合保持されたスクレーパを有し、第１又は第２の保持体を柄に支持する支持体と、保持溝及び保持体の一方が有する凸部と、保持溝及び保持体の他方が有し、前記凸部に係合して保持体の保持溝内での動きを規制する凹部とを有することを特徴とする。
【００２６】
第８発明にあっては、第１又は第２の保持体を保持溝に挿入することにより保持体を係止することができるため、ブラシ又はスポンジを脱落させることなく清掃作業を行うことができ、また、保持体を挿入方向と反対方向へ引張ることにより、保持体を保持溝から抜き出すことができ、ブラシを保持した第１の保持体とスポンジを保持した第２の保持体とに容易に取り替えることができる。従って、建築物のガラスを水で濡らし、ガラスに付着している埃等をブラシで落し、ガラスに付着した水滴をスポンジで吸収し、スポンジによって吸収されない水分をスクレーパによって掻き取るような場合、第１及び第２の保持体の一方を保持した一つの清掃具と、第１及び第２の保持体の他方とによってガラスを清掃することができ、清掃具の取替え回数を少なくすることができ、独立した複数の清掃具を用いる場合に比べて清掃作業能率を向上できる。
【００２７】
【発明の実施の形態】
以下本発明をその実施の形態を示す図面に基づいて詳述する。図１は清掃具の全体構成を示す斜視図、図２はブラシを装着した状態の斜視図、図３はスポンジを装着した状態の斜視図である。
この清掃具は、清掃材１を保持する合成樹脂製の保持体２と、該保持体２を支持する合成樹脂製の支持体３と、該支持体３を連結軸４を介して相対回転可能に支持し、比較的長い寸法の棒形の柄５とを備えてなる。
【００２８】
保持体２は、ブラシ，スポンジ等の清掃材１の一つを保持してなり、また、支持体３は保持体２が摺動しつつ挿入される保持溝３１を有する。保持溝３１及び保持体２は保持溝３１の一端から保持体２を挿入可能としてある。
【００２９】
図４は支持体の構成を示す斜視図、図５は支持体の構成を示す正面図、図６は支持体の構成を示す平面図、図７はスポンジを省略した図３のＶＩＩ　−ＶＩＩ　線の拡大断面図、図８はスポンジを省略した図３のＶＩＩＩ−ＶＩＩＩ線の拡大断面図である。
【００３０】
支持体３はその長手方向両端に亘って保持溝３１を有する略角柱形の支持部３ａと、保持溝３１の一側面側で長手方向中央部に突設され、貫通孔を有する連結片３ｂと、支持部３ａの保持溝３１と反対側に保持溝３１に対して傾斜するように連なり、その長手方向両端に亘って嵌合溝３０を有する略矩形板形の支持片３ｃとを有しており、一体に成形されている。
【００３１】
支持部３ａは保持溝３１の長手方向一端部で保持溝３１の両側面を貫通する凹形の係止孔３２，３２と、保持溝３１の両側面に突設され、その長手方向が保持溝３１の長手方向となる凸条３３，３３とを有する。
係止孔３２，３２の対向する二つの面にはその長手方向が保持溝３１の長手方向となる矩形の凸片３４，３４が突設されており、保持溝３１の一側面を貫通する一方の係止孔３２に突設された凸片３４，３４の長手方向途中に抜け止め凸部３５，３５が設けられている。
【００３２】
保持溝３１は長手方向一端側の溝幅、換言すれは保持体２が挿入される側の溝幅Ｈ１を他端側の溝幅Ｈ２よりも広くして、保持体２の挿入初期では挿入抵抗を小さくし、挿入後期では挿入抵抗が増加し、保持体２が保持溝３１の一端側へ抜け出し難いようにしてある。
支持片３ｃの嵌合溝３０にはゴム板からなる矩形のスクレーパ１ａが嵌合保持されている。
【００３３】
柄５の端部には離間して向き合う二つの連結片５１，５１と、該連結片５１，５１に穿設された貫通孔とを有しており、連結片５１，５１の間に支持体３の連結片３ｂを挿入し、各連結片５１，５１，３ｂの貫通孔に連結軸４を挿入し、該連結軸４の端部にナット部材６を螺着することにより、各連結片５１，５１，３ｂの間に摩擦抵抗を加え、支持体３と柄５とを相対回転可能としてある。また、一方の連結片５１と連結片３ｂとの間の３箇所には位置決め凸部及び位置決め凹部が設けられている。尚、柄５は長手方向の途中から支持体３側へ水等の液を噴射するように構成してもよく、柄５の構成は特に制限されない。
【００３４】
図９はブラシ用の保持体の構成を示す斜視図、図１０はブラシ用の保持体の構成を示す正面図、図１１はブラシ用の保持体の構成を示す平面図、図１２はスポンジ用の保持体の構成を示す斜視図、図１３はスポンジ用の保持体の構成を示すもので、スポンジを保持していない状態の正面図、図１４はスポンジ用の保持体の構成を示すもので、スポンジを保持した状態の斜視図である。
【００３５】
保持体２はブラシ用の第１の保持体２ａと、スポンジ用の第２の保持体２ｂとがある。第１の保持体２ａは一面にブラシ１ｂを有し、保持溝３１に対応する大きさの略角柱形に成形されており、また、第２の保持体２ｂはヒンジ２１を介して連結された二枚の挟み板２２，２３からなり、換言すればその幅方向中央部にヒンジ２１を有する一枚の合成樹脂製の矩形板を保持溝３１に対応する大きさとなるようにヒンジ２１部分から折り曲げてなり、略三角柱形のスポンジ１ｃの二面を挟み板２２，２３の間で挾むことにより保持してある。
【００３６】
第１の保持体２ａの一端部で一面に連なる両側面には係止孔３２，３２に挿入されることにより該係止孔３２，３２に係合する凸部２４，２４が突設されており、この凸部２４，２４の係止孔３２，３２との係合によって保持体２ａの保持孔３１内での動き、即ち、保持溝３１の長手方向及び深さ方向への動きを規制している。また、保持体２ａの長手方向途中には複数の貫通孔２５が穿設されている。凸部２４，２４には前記凸片３４，３４に係合する凹部２６と、前記抜け止め凸部３５に係合する抜け止め凸部２７とが設けられている。この抜け止め凸部２７は抜け止め凸部３５を保持体２ａの挿入方向へ越えた位置で係合し、保持体２ａが確実に抜け出ないようにしてある。尚、係止孔３２，３２と凸部２４，２４とが係止手段を構成している。
【００３７】
凸部２４，２４は二つの指で摘むことができる大きさに形成されている。また、保持体２ａの両側面で長手方向中央部及び一端部には前記凸条３３，３３との係合が可能な凹条２８，２８を有しており、さらに、両側面で長手方向中央部及び他端部には前記凸条３３，３３の幅方向一側との係合が可能な抜け止め凸部２９，２９が突設されている。また、保持体２ａは長手方向中央部の幅寸法を両端部の幅寸法よりも若干大きくし、保持体２ａの保持溝３１への挿入初期では挿入抵抗を小さくし、挿入途中で挿入抵抗が増加し、保持体２ａが保持溝３１の一端側へ抜け出し難いようにしてある。また、保持体２ａの両側面で、ブラシ１ｂ側にはリブ２０，２０が突設されており、このリブ２０，２０によって前記幅寸法を変えている。
【００３８】
第２の保持体２ｂは挟み板２２，２３の一端部で外側面には係止孔３２，３２に挿入されることにより該係止孔３２，３２に係合する凸部２４，２４が突設されており、この凸部２４，２４の係止孔３２，３２との係合によって保持体２ａの保持孔３１内での動き、即ち、保持溝３１の長手方向及び深さ方向への動きを規制している。また、保持体２ｂには凸部２４，２４の近傍から他端部に亘って前記凸条３３，３３との係合が可能な凹条２８，２８が設けられている。凸部２４，２４には前記凸片３４，３４に係合する凹部２６，２６と、前記抜け止め凸部３５，３５に係合する抜け止め凸部２７，２７とが設けられている。この抜け止め凸部２７は抜け止め凸部３５を保持体２ｂの挿入方向へ越えた位置で係合し、保持体２ｂが抜け出ないようにしてある。凸部２４，２４は二つの指で摘むことができる大きさに形成されている。
【００３９】
挟み板２２，２３の内側に、千鳥配置となる複数の食込片２２ａ，２３ａが突設されている。一枚の挟み板２２の内側には複数のピン２２ｂが突設されており、他方の挟み板２３の内側には前記ピン２２ｂが嵌合する嵌合孔２３ｂを有する筒部が突設されており、挟み板２２，２３の間隔を小さくすることにより、食込片２２ａ，２３ａがスポンジ１ｃに食い込み、スポンジ１ｃを保持するとともにピン２２ｂが嵌合孔２３ｂに挿入され、挟み板２２，２３間の広がりを防ぎ、スポンジ１ｃの保持状態を維持することができるようにしてある。
【００４０】
以上のように構成された清掃具は、ブラシ１ｂで清掃する場合、支持体３の保持溝３１に第１の保持体２ａが保持溝３１の長手方向一端部から挿入され、また、スポンジ１ｃで清掃する場合、前記保持溝３１に第２の保持体２ｂが保持溝３１の長手方向一端部から挿入される。
【００４１】
第１の保持体２ａを用いる場合、保持体２ａの長手方向他端部を保持溝３１の一端部に挿入し、摺動させつつ押し込むことにより保持体２ａの凸部２４，２４が係止孔３２，３２に係合し、さらに、凹部２６，２６が凸片３４，３４と係合し、保持溝３１の深さ方向への動きが規制されるとともに、抜け止め凸部２７，２７が抜け止め凸部３５，３５と係合し、抜け出し方向への動きが規制され、保持体２ａの抜け出しを確実に防ぐことができる。また、保持体２ａを挿入する際、抜け止め凸部２９が凸条３３，３３の幅方向一側に係合するとともに、凹条２８，２８が凸条３３，３３に係合するため、凸条３３，３３に沿って保持体２ａを正確に挿入することができる。尚、実施の形態では複数の貫通孔２５を有することによって前記凹条２８が分断され、凹条２８と凸条３３との係合領域が少なくなるため、前記抜け止め凸部２９が設けられているが、その他、前記貫通孔２５をなくし、凹条２８，２８と凸条３３，３３との係合領域を長くした場合には前記抜け止め凸部２９をなくしてもよい。
【００４２】
また、第１の保持体２ａを取外す場合、保持体２ａの凸部２４，２４を二つの指で摘み、挿入方向と反対方向へ引張ることにより、保持体２ａを抜き出すことができる。
【００４３】
第１の保持体２ａに代えて第２の保持体２ｂを用いる場合、保持体２ｂの長手方向他端部を保持溝３１の一端部に挿入し、摺動させつつ押し込むことにより保持体２ｂの凸部２４，２４が係止孔３２，３２に係合し、さらに、凹部２６，２６が凸片３４，３４と係合し、保持溝３１の深さ方向への動きが規制されるとともに、抜け止め凸部２７，２７が抜け止め凸部３５，３５と係合し、抜け出し方向への動きが規制され、保持体２ｂの抜け出しを確実に防ぐことができる。また、保持体２ｂを挿入する際、凹条２８，２８が凸条３３，３３に係合するため、凸条３３，３３に沿って正確に挿入することができる。
【００４４】
また、第２の保持体２ｂを取外す場合、保持体２ｂの凸部２４，２４を二つの指で摘み、挿入方向と反対方向へ引張ることにより、保持体２ｂを抜き出すことができる。
また、略三角柱形に形成されたスポンジ１ｃの一面が汚れた際には、保持体２ｂを保持溝３１から抜き出した状態で、挟み板２２，２３間の間隔を広げてピン２２ｂの嵌合孔２３ｂとの嵌合を離脱し、スポンジ１ｃを取外し、該スポンジ１ｃの挟み位置を変えた後、挟み板２２，２３の間隔を小さくし、ピン２２ｂを嵌合孔２３ｂに挿入することにより、他の清掃面を使用することが可能になる。
【００４５】
以上のように本発明に係る清掃具は、支持体３がスクレーパ１ａを有しており、しかも、ブラシ用の保持体２ａとスポンジ用の保持体２ｂとを取り替えることができるため、建築物のガラスを水で濡らし、ガラスに付着している埃等をブラシで落し、ガラスに付着した水滴をスポンジで吸収し、スポンジによって吸収されない水分をスクレーパによって掻き取るような場合、第１及び第２の保持体２ａ，２ｂの一方を保持した一つの清掃具と、第１及び第２の保持体２ａ，２ｂの他方とによってガラスを清掃することができ、清掃具の取替え回数を少なくすることができ、独立した複数の清掃具を用いる場合に比べて清掃作業能率を向上できる。
【００４６】
尚、以上説明した実施の形態では、保持体２ａ，２ｂを保持溝３１の長手方向一端部から挿入するように構成したが、その他、保持体２ａ，２ｂを保持溝３１の深さ方向に挿入し、凸部及び該凸部に係合する凹部からなる係止手段によって保持体２ａ，２ｂを支持体３に係止するように構成してもよい。
【００４７】
また、以上説明した実施の形態では、支持体３に係止孔３２，凸片３４及び抜け止め凸部３５を設け、保持体２ａ，２ｂに凸部２４，凹部２６及び抜け止め凸部２７を設けたが、その他、保持体２ａ，２ｂに係止孔３２，凸片３４及び抜け止め凸部３５を設け、支持体３に凸部２４，凹部２６及び抜け止め凸部２７を設けてもよい。
【００４８】
また、以上説明した実施の形態では、係止孔３２，３２からなる凹部及び凸部２４，２４を係止手段としたが、その他、この係止手段は凸部及び該凸部に係合する凹部によって保持体２ａ，２ｂの保持孔３１内での動きを規制する構造であればよく、その構成は特に制限されない。
【００４９】
【発明の効果】
以上詳述したように第１発明及び第７発明によれば、清掃材が保持された保持体を、柄に支持される支持体の保持溝に対して挿入／抜き出し操作を行うことにより、清掃機能が異なる清掃材が保持された保持体と容易に取り替えることができるため、一つの清掃具と、清掃材を保持した保持体とによってガラスを清掃することができ、清掃具の取替え回数を少なくすることができ、独立した複数の清掃具を用いる場合に比べて清掃作業能率を向上できる。
しかも、第７発明によれば、スポンジによって吸収されない水分をスクレーパによって掻き取るような場合、柄を中心として支持体を回すことにより、スクレーパによって清掃することができ、清掃作業能率をより一層向上できる。
【００５０】
第２発明によれば、保持体、支持体が成形される際に、凸部及び凹部を保持体、支持体と一体に成形することができるため、係止手段の組付け工数をなくすることができる。
【００５１】
第３発明によれば、保持体を保持溝の一端部から摺動させつつ容易に挿入することができ、また、保持体を保持溝の一端部から摺動させつつ容易に抜き出すことができ、清掃材の取り替えを簡易にできる。
【００５２】
第４発明によれば、保持体を保持溝に挿入する際に凸条を凹条に係合させることによって保持体を正確に挿入することができ、しかも、挿入した後では凸条及び凹条によって保持体の挿入方向と交差する方向への動きを規制することができ、保持体の係止力を増加できる。
【００５３】
第５発明によれば、凸部を二つの指で摘むことができるため、凸部を二つの指で摘んだ状態で保持体を保持溝に対して挿入／抜き出しが行える。
【００５４】
第６発明によれば、複数の清掃面を有する清掃材の清掃面が汚れた際に、挟み板間の間隔を広げて清掃材の挟み位置を変えることにより他の清掃面を使用することができ、清掃材の洗浄回数を減らすことができる。
【００５５】
第８発明によれば、ブラシを保持した第１の保持体又はスポンジを保持した第２の保持体を、柄に支持される支持体の保持溝に対して挿入／抜き出し操作を行うことにより、第１の保持体と第２の保持体とに容易に取り替えることができるため、ブラシ、スポンジ、スクレーパによってガラスを清掃する際の清掃具の取替え回数を少なくすることができ、独立した複数の清掃具を用いる場合に比べて清掃作業能率を向上できる。
【図面の簡単な説明】
【図１】本発明に係る清掃具の全体構成を示す斜視図である。
【図２】本発明に係る清掃具のブラシを装着した状態の斜視図である。
【図３】本発明に係る清掃具のスポンジを装着した状態の斜視図である。
【図４】本発明に係る清掃具の支持体の構成を示す斜視図である。
【図５】本発明に係る清掃具の支持体の構成を示す正面図である。
【図６】本発明に係る清掃具の支持体の構成を示す平面図である。
【図７】スポンジを省略した図３のＶＩＩ　−ＶＩＩ　線の拡大断面図である。
【図８】スポンジを省略した図３のＶＩＩＩ−ＶＩＩＩ線の拡大断面図である。
【図９】本発明に係る清掃具のブラシ用の保持体の構成を示す斜視図である。
【図１０】本発明に係る清掃具のブラシ用の保持体の構成を示す正面図である。
【図１１】本発明に係る清掃具のブラシ用の保持体の構成を示す平面図である。
【図１２】本発明に係る清掃具のスポンジ用の保持体の構成を示す斜視図である。
【図１３】本発明に係る清掃具のスポンジ用の保持体の構成を示すもので、スポンジを保持していない状態の正面図である。
【図１４】本発明に係る清掃具のスポンジ用の保持体の構成を示すもので、スポンジを保持した状態の斜視図である。
【符号の説明】
１　　清掃材
１ａ　スクレーパ
１ｂ　ブラシ
１ｃ　スポンジ
２　　保持体
２ａ　ブラシ用の保持体
２ｂ　スポンジ用の保持体
２１　ヒンジ
２２，２３　挟み板
２４　凸部
２８　凹条
３　　支持体
３１　保持溝
３２　係止孔
３３　凸条
【図１】
2004033282.tif 000003
【図２】
2004033282.tif 000004
【図３】
2004033282.tif 000005
【図４】
2004033282.tif 000006
【図５】
2004033282.tif 000007
【図６】
2004033282.tif 000008
【図７】
2004033282.tif 000009
【図８】
2004033282.tif 000010
【図９】
2004033282.tif 000011
【図１０】
2004033282.tif 000012
【図１１】
2004033282.tif 000013
【図１２】
2004033282.tif 000014
【図１３】
2004033282.tif 000015
【図１４】
2004033282.tif 000016